(57)【要約】【課題】プログラムの書き換えに要する時間を短縮する。【解決手段】二次電池パックは、収納部材とマイコンと回路基板と複数の書換用パッドとパッド被覆部材と複数の貫通孔とを備える。収納部材は、二次電池を内部に収納する。マイコンは、充放電プログラムを実行するように構成される。回路基板は、マイコンを搭載し、収納部材の内部に収納される。複数の書換用パッドは、回路基板の表面に配置され、マイコンと電気的に接続される。パッド被覆部材は、複数の書換用パッドを覆うようにして回路基板の表面に配置される。複数の貫通孔は、複数の書換用パッドのそれぞれについて、収納部材における書換用パッドに対向する箇所に形成され、充放電プログラムを書き換えるための書換用ピンが挿入可能に収納部材を貫通する。【選択図】図４
2020039199.tif 000002
【特許請求の範囲】
【請求項１】
二次電池を内部に収納する収納部材と、
前記二次電池の充放電を制御する充放電プログラムを実行するように構成されたマイクロコンピュータと、
前記マイクロコンピュータを搭載し、前記収納部材の内部に収納される回路基板と、
前記回路基板の表面に配置され、前記マイクロコンピュータと電気的に接続される複数の書換用パッドと、
複数の前記書換用パッドを覆うようにして、前記回路基板の前記表面に配置されるパッド被覆部材と、
複数の前記書換用パッドのそれぞれについて、前記収納部材における前記書換用パッドに対向する箇所に形成され、前記充放電プログラムを書き換えるための書換用ピンが挿入可能に前記収納部材を貫通する複数の貫通孔と
を備える二次電池パック。
【請求項２】
請求項１に記載の二次電池パックであって、
少なくとも前記マイクロコンピュータを覆うようにして、前記回路基板に配置されるマイコン被覆部材を備え、
前記マイコン被覆部材は、前記パッド被覆部材より硬い二次電池パック。
【請求項３】
請求項１または請求項２に記載の二次電池パックであって、
前記回路基板は、前記二次電池の充放電のために用いられて前記回路基板の前記表面に配置される充放電端子を備え、
前記収納部材は、電動工具が装着される装着部を備え、
前記回路基板は、前記収納部材の内部において、前記装着部の付近に位置するように、且つ、前記回路基板の前記表面が前記装着部と対向するように配置される二次電池パック。
【請求項４】
請求項３に記載の二次電池パックであって、
前記装着部は、前記収納部材が前記電動工具に接触した状態で前記収納部材を前記電動工具に対して移動させることにより前記収納部材を前記電動工具に装着することができるように、予め設定された装着方向に沿って延びる一対の案内レールを備え、
複数の前記貫通孔は、前記装着部において、一対の前記案内レールに挟まれた領域の外側に配置される二次電池パック。
【請求項５】
請求項４に記載の二次電池パックであって、
一対の前記案内レールは直線状に形成されており、
前記装着部の表面において一対の前記案内レールのそれぞれからの距離が等しい地点の集合であるレール中央線は、前記装着部の表面において複数の前記貫通孔が配置されている領域を通過する二次電池パック。
【発明の詳細な説明】
【技術分野】
【０００１】
本開示は、充放電を制御する充放電プログラムを格納している二次電池パックに関する。
【背景技術】
【０００２】
特許文献１には、二次電池が収納された二次電池パックが充電装置に装着されると、充電装置が、プログラムの書込元となり、二次電池パックに格納されている充電制御プログラムを書き換える技術が記載されている。
【先行技術文献】
【特許文献】
【０００３】
【特許文献１】特開２０１０−３３１６８号公報
【発明の概要】
【発明が解決しようとする課題】
【０００４】
特許文献１に記載の二次電池パックでは、マイクロコンピュータと外部接続端子とは各種電子部品（例えば、トランジスタ、ＦＥＴ等のスイッチング素子、および整流用のダイオード等）を介して接続されている。マイクロコンピュータのＩ／Ｏポートと外部接続端子とが直結されていると、外部接続端子への静電気放電等でマイクロコンピュータのＩ／Ｏポートが故障する可能性があり、上記電子部品を介すことで、静電気に対する耐力を高めることができるためである。
【０００５】
そして、上記の充電装置と二次電池パックとの間で通信するデータ量は小さく、通信速度は比較的低く設計されている（例えば、９６００ｂｐｓ程度）。このため、この外部接続端子を介してプログラムを書き込むためには、プログラムの転送速度を上記程度に下げる必要があり、データ転送時間が非常に長くなってしまう。これにより、プログラムの転送開始から書き込み完了までの時間が長くなってしまうという問題があった。
【０００６】
本開示は、プログラムの書き換えに要する時間を短縮することを目的とする。
【課題を解決するための手段】
【０００７】
本開示の一態様は、収納部材と、マイクロコンピュータと、回路基板と、複数の書換用パッドと、パッド被覆部材と、複数の貫通孔とを備える二次電池パックである。
収納部材は、二次電池を内部に収納する。マイクロコンピュータは、二次電池の充放電を制御する充放電プログラムを実行するように構成される。回路基板は、マイクロコンピュータを搭載し、収納部材の内部に収納される。
【０００８】
複数の書換用パッドは、回路基板の表面に配置され、マイクロコンピュータと電気的に接続される。パッド被覆部材は、複数の書換用パッドを覆うようにして、回路基板の表面に配置される。複数の貫通孔は、複数の書換用パッドのそれぞれについて、収納部材における書換用パッドに対向する箇所に形成され、充放電プログラムを書き換えるための書換用ピンが挿入可能に収納部材を貫通する。
【０００９】
このように構成された本開示の二次電池パックでは、収納部材に形成された複数の貫通孔に書換用ピンが挿入されると、書換用ピンが、複数の書換用パッドを覆うパッド被覆部材を突き破り、書換用ピンの先端部が書換用パッドに接触する。これにより、本開示の二次電池パックは、書換用ピンを介してプログラム書換装置と電気的に接続することができる。これにより、本開示の二次電池パックは、マイクロコンピュータと書換用ピンが直接接続されることで、プログラム書換装置による書き換えができるため、プログラムの書き換えに要する時間を短縮することができる。
【００１０】
また、複数の書換用パッドは、収納部材の内部に収納されているため、外部から直接触れることが無い。このため、本開示の二次電池パックは、静電気放電が発生し難くなり、マイクロコンピュータの故障の発生を抑制することができる。
【００１１】
また、複数の書換用パッドは、パッド被覆部材で覆われている。このため、本開示の二次電池パックは、上記の静電気放電を更に発生し難くしつつ、水濡れや不純物付着による故障や誤動作を抑制することができる。
【００１２】
また、本開示の一態様では、少なくともマイクロコンピュータを覆うようにして、回路基板に配置されるマイコン被覆部材を備え、マイコン被覆部材は、パッド被覆部材より硬いようにしてもよい。
【００１３】
このように構成された本開示の二次電池パックは、少なくともマイクロコンピュータをパッド被覆部材で覆うことにより、例えばマイクロコンピュータに水が付着してマイクロコンピュータが破損してしまうという事態の発生を抑制することができる。なお、マイクロコンピュータは、書換用パッドと異なり、書換用ピンと電気的に接続される必要がないため、本開示の二次電池パックは、マイコン被覆部材をパッド被覆部材より硬くすることができる。このため、本開示の二次電池パックは、マイコン被覆部材の破損を抑制し、これにより、マイクロコンピュータの破損を更に抑制することができる。
【００１４】
また、本開示の一態様では、回路基板は、充放電端子を備え、収納部材は、電動工具が装着される装着部を備え、回路基板は、収納部材の内部において、装着部の付近に位置するように、且つ、回路基板の表面が装着部と対向するように配置されるようにしてもよい。充放電端子は、二次電池の充放電のために用いられて回路基板の表面に配置される。
【００１５】
このように構成された本開示の二次電池パックは、回路基板が装着部の付近に配置されるために、回路基板から装着部まで延ばす必要がある充放電端子の長さを短くすることができるとともに、装着部から書換用パッドまで延ばす必要がある書換用ピンの長さを短くすることができる。
【００１６】
また、本開示の一態様では、装着部は、一対の案内レールを備え、複数の貫通孔は、装着部において、一対の案内レールに挟まれた領域の外側に配置されるようにしてもよい。一対の案内レールは、収納部材が電動工具に接触した状態で収納部材を電動工具に対して移動させることにより収納部材を電動工具に装着することができるように、予め設定された装着方向に沿って延びる。
【００１７】
このように構成された本開示の二次電池パックは、書換用ピンを支持するピン用支持板を用いて複数の書換用ピンを複数の貫通孔に挿入する場合において、一対の案内レールに挟まれた領域に複数の貫通孔がある場合と比較して、ピン用支持板と複数の貫通孔との間の距離を短くすることができる。これにより、本開示の二次電池パックは、複数の貫通孔に複数の書換用ピンを挿入し易くすることができる。
【００１８】
また、本開示の一態様では、一対の案内レールは直線状に形成されており、装着部の表面において一対の案内レールのそれぞれからの距離が等しい地点の集合であるレール中央線は、装着部の表面において複数の貫通孔が配置されている領域を通過するようにしてもよい。
【００１９】
このように構成された本開示の二次電池パックは、書換用ピンを支持するピン用支持板を用いて複数の書換用ピンを複数の貫通孔に挿入する場合において、ピン用支持板の中央に複数の書換用ピンを配置することができる。このため、本開示の二次電池パックは、複数の貫通孔に複数の書換用ピンを挿入するときに、ピン用支持板が、一対の案内レールのうちの一方側に傾いてしまう事態の発生を抑制し、複数の貫通孔に複数の書換用ピンを挿入し易くすることができる。
【図面の簡単な説明】
【００２０】
【図１】電動工具の側面図である。
【図２】二次電池パックの斜視図である。
【図３】筐体の側面図である。
【図４】回路基板の平面図である。
【図５】書換用治具を示す第１の斜視図である。
【図６】書換用治具を示す第２の斜視図である。
【図７】プログラムを書き換える手順を説明する図である。
【発明を実施するための形態】
【００２１】
以下に本開示の実施形態を図面とともに説明する。
本実施形態の電動工具１は、図１に示すように、電動工具本体１０（以下、本体１０）と、二次電池パック３０とを備える。
【００２２】
本体１０は、所謂ドライバドリルとして構成されている。二次電池パック３０は、本体１０に着脱可能に装着されて、本体１０に直流電源を供給する。
本体１０は、モータハウジング１４と、ギアハウジング１６と、ドリルチャック１８と、ハンドグリップ２０とを備える。
【００２３】
モータハウジング１４は、ドリルチャック１８を回転駆動させる駆動力を発生させる駆動モータを収容する。
ギアハウジング１６は、モータハウジング１４の前方に配置される。ギアハウジング１６は、駆動モータの駆動力をドリルチャック１８へ伝達するギア機構を収容する。
【００２４】
ドリルチャック１８は、ギアハウジング１６の前方に配置される。ドリルチャック１８は、ドリルチャック１８の前端部に工具ビットを着脱自在に装着する装着機構を備える。
ハンドグリップ２０は、モータハウジング１４の下方に配置される。ハンドグリップ２０は、電動工具１の使用者がハンドグリップ２０を片手で把持可能に成形されている。そして、ハンドグリップ２０の上部前方には、電動工具１の使用者が駆動モータを駆動または停止するためのトリガスイッチ２２が設けられている。また、ハンドグリップ２０の下端部には、二次電池パック３０を着脱可能に本体１０に装着するための本体側装着部２４が設けられている。本体側装着部２４は、電動工具１の使用者が二次電池パック３０を本体１０の前方に摺動させることで、二次電池パック３０を本体側装着部２４から離脱できるように構成されている。
【００２５】
二次電池パック３０は、図２に示すように、収納部材３１を備える。そして収納部材３１は、筐体３２と、蓋体３４とを備える。
筐体３２は、直方体状に形成された箱体であり、図３に示すように、二次電池３６を収納する。そして、筐体３２では、直方体を構成する六面のうちの一面が開口されている。
【００２６】
蓋体３４は、図２に示すように、筐体３２の開口部を覆うように筐体３２に固定される。蓋体３４の上部には、本体１０の本体側装着部２４に装着するための電池側装着部４０が形成されている。また電池側装着部４０は、二次電池パック３０に電気的に接続するための電源端子部４２および接続端子部４４と、２本の案内レール４６とを備える。
【００２７】
２本の案内レール４６は、本体側装着部２４の下部に形成された嵌合部と嵌め合うことが可能な形状で直線状に形成されている。そして、２本の案内レール４６は、互いに平行となるように配置される。なお、電源端子部４２および接続端子部４４は、２本の案内レール４６の間に配置される。
【００２８】
このため、本体側装着部２４と蓋体３４とが嵌め合った状態で、案内レール４６の延びる方向である着脱方向Ｄ１に沿って二次電池パック３０を本体１０の前方に移動させることで、二次電池パック３０を本体１０から取り外すことができる。一方、本体側装着部２４の嵌合部の一部と蓋体３４の案内レール４６の一部とを嵌め合った状態で、着脱方向Ｄ１に沿って二次電池パック３０を本体１０の後方に移動させることで、二次電池パック３０を本体１０に取り付けることができる。
【００２９】
そして二次電池パック３０は、蓋体３４を介して本体１０に装着されることで、電池側装着部４０に設けられた電源端子部４２および接続端子部４４を介して、本体１０の内部回路と電気的に接続され、本体１０に直流電源を供給することができる。
【００３０】
図３に示すように、二次電池パック３０の内部には、回路基板５０が収納される。図３は、筐体３２の開口部から蓋体３４を取り外した状態を示す二次電池パック３０の側面図である。回路基板５０は、筐体３２の上方に配置されている。すなわち、回路基板５０は、蓋体３４が筐体３２の開口部に取り付けられている状態において、蓋体３４の内部に収納される。
【００３１】
回路基板５０において、蓋体３４と対向する面を表面５０ａとし、筐体３２と対向する面を裏面５０ｂとする。二次電池パック３０の充放電を制御するマイクロコンピュータ５１（以下、マイコン５１）は、回路基板５０の表面５０ａに搭載される。
【００３２】
マイコン５１は、ＣＰＵ、ＲＯＭおよびＲＡＭ等を備える。マイコン５１の各種機能は、ＣＰＵが非遷移的実体的記録媒体に格納されたプログラムを実行することにより実現される。この例では、ＲＯＭが、プログラムを格納した非遷移的実体的記録媒体に該当する。また、このプログラムの実行により、プログラムに対応する方法が実行される。なお、ＣＰＵが実行する機能の一部または全部を、一つあるいは複数のＩＣ等によりハードウェア的に構成してもよい。
【００３３】
図４に示すように、回路基板５０は、マイコン５１と、複数の充放電端子５２と、複数（本実施形態では６個）の書換用パッド５３と、防水部材５４，５５を備える。充放電端子５２は、二次電池３６の充放電のために利用される端子である。書換用パッド５３は、マイコン５１のＲＯＭに格納されているプログラムを書き換えるために利用されるパッドである。充放電端子５２は、マイコン５１と同様に、回路基板５０の表面５０ａに搭載される。また書換用パッド５３は、回路基板５０の表面５０ａに配置されている。そして書換用パッド５３は、二次電池パック３０が本体１０に装着されている状態において、電動工具１の後方における端部（すなわち、図４における左側の端部）に位置するように配置される。以下、二次電池パック３０において、着脱方向Ｄ１に沿って書換用パッド５３が配置されている側を二次電池パック３０の後方、書換用パッド５３が配置されているのとは反対側を二次電池パック３０の前方という。
【００３４】
防水部材５４は、回路基板５０の表面５０ａにおいて、充放電端子５２および書換用パッド５３以外の各種電子部品を覆うようにして、充放電端子５２および書換用パッド５３以外の各種電子部品が搭載されている領域に配置される。防水部材５４は、本実施形態では、例えばシリコン樹脂またはエポキシ樹脂で形成されている。
【００３５】
防水部材５５は、回路基板５０の表面５０ａにおいて、書換用パッド５３を覆うようにして、書換用パッド５３が形成されている領域に配置される。防水部材５５は、防水部材５４より柔らかい材料で形成されている。本実施形態では、防水部材５５は、例えば、紫外線硬化シリコン樹脂またはウレタン樹脂で形成されている。
【００３６】
また、図２に示すように、蓋体３４において、回路基板５０の書換用パッド５３と対向する位置に、複数の書換用パッド５３のそれぞれに対応した複数の貫通孔４８が形成されている。
【００３７】
複数の貫通孔４８は、２本の案内レール４６で囲まれる領域Ｒ１の外側に配置される。また、複数の貫通孔４８は、２本の案内レール４６のレール中央線Ｌ１が、複数の貫通孔４８が配置されている領域Ｒ２を通過するように配置される。レール中央線Ｌ１は、電池側装着部４０の表面において一対の案内レール４６のそれぞれからの距離が等しい地点の集合である。
【００３８】
次に、プログラムを書き換えるために用いる書換用治具６０について説明する。
書換用治具６０は、図５および図６に示すように、台座６１、案内レール６２，６３と、ストッパ６４と、ばね用支持棒６５，６６と、コイルばね６７，６８と、留具用支持棒６９，７０と、ピン用支持板７１と、留具７２，７３と、複数の書換用ピン７４とを備える。
【００３９】
台座６１は、平面視で矩形状に形成された板状の部材である。
案内レール６２，６３は、台座６１の長手方向に沿って、台座６１の表面から突出するように設けられている。すなわち、案内レール６２，６３は、互いに平行となるように配置されている。そして、案内レール６２と案内レール６３との間の距離は、二次電池パック３０の筐体３２の幅にほぼ一致している。
【００４０】
ストッパ６４は、台座６１の長手方向に沿った一端部において、台座６１の短手方向に沿って、台座６１の表面から突出するように設けられている。
ばね用支持棒６５は、案内レール６２と案内レール６３とに挟まれる領域の外側において、案内レール６２と隣接し、且つ、台座６１の表面から突出するように設けられている。
【００４１】
ばね用支持棒６５は、大径部６５ａと、小径部６５ｂとを備える。大径部６５ａは、台座６１の表面に対して垂直な方向Ｄ２（以下、垂直方向Ｄ２）に沿って延びる円柱状の部材である。大径部６５ａの一端は、台座６１の表面に固定される。小径部６５ｂは、垂直方向Ｄ２に沿って延びて外径が大径部６５ａより小さい円柱状の部材である。小径部６５ｂの一端は、大径部６５ａの他端に固定される。
【００４２】
ばね用支持棒６６は、案内レール６２と案内レール６３とに挟まれる領域の外側において、案内レール６３と隣接し、且つ、台座６１の表面から突出するように設けられている。
【００４３】
ばね用支持棒６６は、大径部６６ａと、小径部６６ｂとを備える。大径部６６ａは、垂直方向Ｄ２に沿って延びる円柱状の部材である。大径部６６ａの一端は、台座６１の表面に固定される。小径部６６ｂは、垂直方向Ｄ２に沿って延びて外径が大径部６６ａより小さい円柱状の部材である。小径部６６ｂの一端は、大径部６６ａの他端に固定される。
【００４４】
なお、大径部６５ａの長さと大径部６６ａの長さは互いに等しく、小径部６５ｂの長さと小径部６６ｂの長さは互いに等しい。
コイルばね６７は、ばね用支持棒６５を周回するように巻回された状態で配置されている。そして、コイルばね６７の一端は、台座６１の表面に固定される。
【００４５】
コイルばね６８は、ばね用支持棒６６を周回するように巻回された状態で配置されている。そして、コイルばね６８の一端は、台座６１の表面に固定される。
留具用支持棒６９は、案内レール６２と案内レール６３とに挟まれる領域の外側において、ばね用支持棒６５に隣接し、且つ、台座６１の表面から突出するように設けられている。
【００４６】
留具用支持棒６９は、大径部６９ａと、小径部６９ｂと、大径部６９ｃとを備える。大径部６９ａは、垂直方向Ｄ２に沿って延びる円柱状の部材である。大径部６９ａの一端は、台座６１の表面に固定される。小径部６９ｂは、垂直方向Ｄ２に沿って延びて外径が大径部６９ａより小さい円柱状の部材である。小径部６９ｂの一端は、大径部６９ａの他端に固定される。大径部６９ｃは、垂直方向Ｄ２に沿って延びて外径が小径部６９ｂより大きい円柱状の部材である。大径部６９ｃの一端は、小径部６９ｂの他端に固定される。
【００４７】
留具用支持棒７０は、案内レール６２と案内レール６３とに挟まれる領域の外側において、ばね用支持棒６６に隣接し、且つ、台座６１の表面から突出するように設けられている。
【００４８】
留具用支持棒７０は、大径部７０ａと、小径部７０ｂと、大径部７０ｃとを備える。大径部７０ａは、垂直方向Ｄ２に沿って延びる円柱状の部材である。大径部７０ａの一端は、台座６１の表面に固定される。小径部７０ｂは、垂直方向Ｄ２に沿って延びて外径が大径部７０ａより小さい円柱状の部材である。小径部７０ｂの一端は、大径部７０ａの他端に固定される。大径部７０ｃは、垂直方向Ｄ２に沿って延びて外径が小径部７０ｂより大きい円柱状の部材である。大径部７０ｃの一端は、小径部６９ｂの他端に固定される。
【００４９】
ピン用支持板７１は、平面視で矩形状に形成された板状の部材である。ピン用支持板７１には、ばね用支持棒６５の小径部６５ｂが挿入される貫通孔７１ａと、ばね用支持棒６６の小径部６６ｂが挿入される貫通孔７１ｂとが形成されている。貫通孔７１ａの直径は、ばね用支持棒６５の大径部６５ａの外径より小さい。貫通孔７１ｂの直径は、ばね用支持棒６６の大径部６６ａの外径より小さい。
【００５０】
貫通孔７１ａ内にばね用支持棒６５の小径部６５ｂが挿入されるとともに、貫通孔７１ｂ内にばね用支持棒６６の小径部６６ｂが挿入されることにより、ピン用支持板７１は、ばね用支持棒６５とばね用支持棒６６との間に架け渡される。これにより、ピン用支持板７１は、小径部６５ｂ，６６ｂの一端から他端の間で移動可能な状態で、ばね用支持棒６５，６６に支持される。そして、コイルばね６７，６８の他端はピン用支持板７１に固定される。
【００５１】
また、ピン用支持板７１には、複数の書換用ピン７４のそれぞれを挿入するための複数の貫通孔７１ｃが形成されている。
留具７２，７３は、コイルばね６７，６８によって台座６１から離れる方向へ付勢されているピン用支持板７１を、大径部６５ａ，６６ａの他端に接触した状態に保持するための部材である。
【００５２】
留具７２，７３にはそれぞれ、留具用支持棒６９，７０の小径部６９ｂ，７０ｂが挿入される貫通孔が形成されている。留具７２に形成されている貫通孔の直径は、留具用支持棒６９の大径部６９ａ，６９ｃの外径より小さい。留具７３に形成されている貫通孔の直径は、留具用支持棒７０の大径部７０ａ，７０ｃの外径より小さい。このため、留具７２，７３はそれぞれ、小径部６９ｂ，７０ｂの一端から他端の間で移動可能な状態で、留具用支持棒６９，７０に支持される。
【００５３】
そして留具７２，７３は、図６に示すように、ピン用支持板７１が大径部６５ａ，６６ａの他端に接触した状態において、留具７２，７３の表面が小径部６９ｂ，７０ｂの他端に接触し、且つ、留具７２，７３の裏面がピン用支持板７１の表面に接触するように配置される。これにより、留具７２，７３は、コイルばね６７，６８によってピン用支持板７１が台座６１から離れる方向へ移動するのを阻止し、ピン用支持板７１を大径部６５ａ，６６ａの他端に接触した状態に保持する。
【００５４】
書換用ピン７４は、針状に形成された金属製の部材である。書換用ピン７４は、ピン用支持板７１の表面側から裏面側へ貫通するようにして貫通孔７１ｃ内に挿入されることにより、ピン用支持板７１の裏面側から突出するようにして、ピン用支持板７１に支持される。書換用ピン７４には、図示しないプログラム書換装置からの電気信号を伝達するための信号線７５が接続される。
【００５５】
次に、このように構成された書換用治具６０を用いて二次電池パック３０のプログラムを書き換える手順を説明する。
まず、プログラム書換作業者は、二次電池パック３０が案内レール６２と案内レール６３との間に挟まれ、二次電池パック３０における後方側の端部がストッパ６４に接触するようにして、二次電池パック３０を台座６１に載せる。
【００５６】
そしてプログラム書換作業者は、ピン用支持板７１を大径部６５ａ，６６ａの他端に接触した状態にし、更に、留具７２，７３の裏面がピン用支持板７１の表面に接触するように留具７２，７３を配置する。これにより、二次電池パック３０は、ピン用支持板７１と台座６１とにより挟まれた状態で、台座６１上に固定される。
【００５７】
その後、プログラム書換作業者が、ピン用支持板７１の貫通孔７１ｃに書換用ピン７４を挿入すると、書換用ピン７４が蓋体３４の貫通孔４８に挿入され、書換用ピン７４の先端部が、防水部材５５を突き破り、書換用パッド５３に接触する。これにより、プログラム書換装置が、書換用ピン７４および信号線７５を介して、回路基板５０と電気的に接続される。
【００５８】
そして、プログラム書換作業者は、プログラム書換装置に格納された書換プログラムを実行する。これにより、二次電池パック３０のプログラムが書き換えられる。
このように構成された二次電池パック３０は、収納部材３１と、マイコン５１と、回路基板５０と、複数の書換用パッド５３と、防水部材５５と、複数の貫通孔４８とを備える。
【００５９】
収納部材３１は、二次電池３６を内部に収納する。マイコン５１は、二次電池３６の充放電を制御する充放電プログラムを実行するように構成される。回路基板５０は、マイコン５１を搭載し、収納部材３１の内部に収納される。
【００６０】
複数の書換用パッド５３は、回路基板５０の表面５０ａに配置され、マイコン５１と電気的に接続される。防水部材５５は、複数の書換用パッド５３を覆うようにして、回路基板５０の表面に配置される。複数の貫通孔４８は、複数の書換用パッド５３のそれぞれについて、収納部材３１における書換用パッド５３に対向する箇所に形成され、充放電プログラムを書き換えるための書換用ピン７４が挿入可能に収納部材３１を貫通する。
【００６１】
このように二次電池パック３０では、収納部材３１に形成された複数の貫通孔４８に書換用ピン７４が挿入されると、書換用ピン７４が、複数の書換用パッド５３を覆う防水部材５５を突き破り、書換用ピン７４の先端部が書換用パッド５３に接触する。これにより、二次電池パック３０は、書換用ピン７４を介してプログラム書換装置と電気的に接続することができる。これにより、二次電池パック３０は、マイコン５１と書換用ピン７４が直接接続されることで、プログラム書換装置による書き換えができるため、プログラムの書き換えに要する時間を短縮することができる。
【００６２】
また、複数の書換用パッド５３は、収納部材３１の内部に収納されているため、外部から直接触れることが無い。このため、二次電池パック３０は、静電気放電が発生し難くなり、マイコン５１の故障の発生を抑制することができる。
【００６３】
また、複数の書換用パッド５３は、防水部材５５で覆われている。このため、二次電池パック３０は、上記の静電気放電を更に発生し難くしつつ、水濡れや不純物付着による故障や誤動作を抑制することができる。
【００６４】
また、充放電プログラムの書き換えが終了すると、書換用ピン７４が書換用パッド５３から外される。これにより、書換用ピン７４により突き破られた防水部材５５に穴が開く。しかし、防水部材５５は柔らかいため、弾性力で元に戻り、穴が小さくなる。このため、防水部材５５に形成された穴に水滴が付着しても、表面張力により、付着した水滴が穴を通過して書換用パッド５３に至るのを抑制することができる。
【００６５】
また二次電池パック３０は、少なくともマイコン５１を覆うようにして、回路基板５０に配置される防水部材５４を備える。そして防水部材５４は、防水部材５５より硬い。このように二次電池パック３０は、少なくともマイコン５１を防水部材５４で覆うことにより、例えばマイコン５１に水が付着してマイコン５１が破損してしまうという事態の発生を抑制することができる。なお、マイコン５１は、書換用パッド５３と異なり、書換用ピン７４と電気的に接続される必要がないため、二次電池パック３０は、防水部材５４を防水部材５５より硬くすることができる。このため、二次電池パック３０は、防水部材５４の破損を抑制し、これにより、マイコン５１の破損を更に抑制することができる。
【００６６】
また、回路基板５０は、充放電端子５２を備え、収納部材３１は、電動工具１が装着される電池側装着部４０を備える。そして回路基板５０は、収納部材３１の内部において、電池側装着部４０の付近に位置するように、且つ、回路基板５０の表面５０ａが電池側装着部４０と対向するように配置される。充放電端子５２は、二次電池３６の充放電のために用いられて回路基板５０の表面５０ａに配置される。
【００６７】
このように二次電池パック３０は、回路基板５０が電池側装着部４０の付近に配置される。このため、二次電池パック３０は、回路基板５０から電池側装着部４０まで延ばす必要がある充放電端子５２の長さを短くすることができるとともに、電池側装着部４０から書換用パッド５３まで延ばす必要がある書換用ピン７４の長さを短くすることができる。
【００６８】
また、電池側装着部４０は、一対の案内レール４６を備え、複数の貫通孔４８は、電池側装着部４０において、一対の案内レール４６に挟まれた領域Ｒ１の外側に配置される。一対の案内レール４６は、収納部材３１が電動工具１に接触した状態で収納部材３１を電動工具１に対して移動させることにより収納部材３１を電動工具１に装着することができるように、予め設定された着脱方向Ｄ１に沿って延びる。
【００６９】
これにより、二次電池パック３０は、書換用ピン７４を支持するピン用支持板７１を用いて複数の書換用ピン７４を複数の貫通孔４８に挿入する場合において、一対の案内レール４６に挟まれた領域Ｒ１に複数の貫通孔４８がある場合と比較して、ピン用支持板７１と複数の貫通孔４８との間の距離を短くすることができる。これにより、二次電池パック３０は、複数の貫通孔４８に複数の書換用ピン７４を挿入し易くすることができる。領域Ｒ１に複数の貫通孔４８がある場合には、例えば、図７における破線のピン用支持板７１で示すように、一対の案内レール４６の間に架け渡すようにピン用支持板７１が配置される。すなわち、一対の案内レール４６の高さ分、ピン用支持板７１と複数の貫通孔４８との間の距離が長くなる。
【００７０】
また、一対の案内レール４６は直線状に形成されており、電池側装着部４０の表面において一対の案内レール４６のそれぞれからの距離が等しい地点の集合であるレール中央線Ｌ１は、電池側装着部４０の表面において複数の貫通孔が配置されている領域Ｒ２を通過する。
【００７１】
これにより、二次電池パック３０は、書換用ピン７４を支持するピン用支持板７１を用いて複数の書換用ピン７４を複数の貫通孔４８に挿入する場合において、ピン用支持板７１の中央に複数の書換用ピン７４を配置することができる。このため、二次電池パック３０は、複数の貫通孔４８に複数の書換用ピン７４を挿入するときに、ピン用支持板７１が、一対の案内レール４６のうちの一方側に傾いてしまう事態の発生を抑制し、複数の貫通孔４８に複数の書換用ピン７４を挿入し易くすることができる。例えば、図６に示すように、ピン用支持板７１は、一対の案内レール４６が延びる着脱方向Ｄ１に対して垂直な方向に沿った一端側と他端側とでそれぞればね用支持棒６５，６６により支持されている。そして、複数の貫通孔４８がピン用支持板７１の中央部に配置されていない場合には、複数の貫通孔７１ｃがピン用支持板７１の中央部から離れた位置に配置される。この場合に、書換用ピン７４を貫通孔４８内に挿入すると、ピン用支持板７１の中央部から離れた位置に荷重が掛かるため、ピン用支持板７１が、一対の案内レール４６のうちの一方側に傾いてしまう恐れがある。
【００７２】
以上説明した実施形態において、マイコン５１はマイクロコンピュータの一例に相当し、防水部材５５はパッド被覆部材の一例に相当し、貫通孔４８は貫通孔の一例に相当する。
【００７３】
また、防水部材５４はマイコン被覆部材の一例に相当し、電池側装着部４０は装着部の一例に相当し、着脱方向Ｄ１は装着方向の一例に相当する。
以上、本開示の一実施形態について説明したが、本開示は上記実施形態に限定されるものではなく、種々変形して実施することができる。
【００７４】
例えば上記実施形態では、１枚の回路基板５０にマイコン５１と書換用パッド５３とが搭載される形態を示した。しかし、マイコン５１を搭載する第１の回路基板と、書換用パッド５３を搭載する第２の回路基板とを備え、第１の回路基板と第２の回路基板とが電気的に接続されるようにしてもよい。この場合には、第１の回路基板および第２の回路基板が本開示の回路基板の一例に相当する。
【００７５】
また上記実施形態では、防水部材５４は、充放電端子５２および書換用パッド５３以外の各種電子部品を覆う形態を示した。しかし、防水部材５４が、上記の各種電子部品として、マイコン５１と、マイコン５１の周辺回路の一部または全てを覆うようにしてもよい。
【００７６】
また、貫通孔４８の上にラベルを貼るようにしてもよい。これにより、水が貫通孔４８を通過して二次電池パック３０の筐体３２の内部に入ってしまうのを抑制することができる。
【００７７】
また、上記実施形態における１つの構成要素が有する機能を複数の構成要素に分担させたり、複数の構成要素が有する機能を１つの構成要素に発揮させたりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００７８】
３０…二次電池パック、３１…収納部材、３６…二次電池、４８…貫通孔、５０…回路基板、５１…マイコン、５３…書換用パッド、５５…防水部材、７４…書換用ピン
【図１】
2020039199.tif 000003
【図２】
2020039199.tif 000004
【図３】
2020039199.tif 000005
【図４】
2020039199.tif 000006
【図５】
2020039199.tif 000007
【図６】
2020039199.tif 000008
【図７】
2020039199.tif 000009